(57)【要約】【課題】  回転ディスプレイの傾斜構造の提供。【解決手段】  操作ロッドの弾性突起を下向きに押圧すると、操作ロッドが両用型ポータブルコンピュータ装置のベース上で横向きにスライドすると共に係合手段を駆動してベース上で横向きにスライドさせ、並びに係合手段の係合端が横向きにタッチパネルの横向き凹溝より離脱し、タッチパネルがバネの提供する弾性付勢力により上向きに所定角度跳ね起き、これにより両用型ポータブルコンピュータ装置の回転ディスプレイの背部がタッチパネルの上端に当接する。前述の構造により、使用者は所定角度傾斜する回転ディスプレイ上で操作を行なえ、ゆえに操作時の便利性と使用時の快適性が向上されている。【選択図】        図２
2006155549.tif 000002
【特許請求の範囲】
【請求項１】
両用型ポータブルコンピュータ装置に組み合わされて使用される回転ディスプレイの傾斜構造であり、該両用型ポータブルコンピュータ装置はベース、及び、回転ディスプレイを具え、且つベースは上表面を具え、回転ディスプレイはベースの上表面に枢設され並びに上表面に対して水平方向の回転と傾斜角度調整が行なえ、該回転ディスプレイの傾斜構造は、タッチパネル、少なくとも一つの係合装置、少なくとも一つのバネ部品、操作ロッドを具え、
該タッチパネルは両用型ポータブルコンピュータ装置のベースの上表面に枢設され、且つこのタッチパネルは少なくとも一つの横向き側面、及び少なくとも一つのバネを具え、そのうち、少なくとも一つの横向き側面に横向き凹溝が凹設され、少なくとも一つのバネは弾性付勢力を提供してタッチパネルを両用型ポータブルコンピュータ装置のベースの上表面より上向きに跳ね起こし、
該少なくとも一つの係合装置は両用型ポータブルコンピュータ装置のベース上で横向きにスライドし、且つこの少なくとも一つの係合装置は係合端と連接端を具え、
該少なくとも一つのバネ部品は少なくとも一つの係合装置の連接端と両用型ポータブルコンピュータ装置のベースの間を連接し、且つこの少なくとも一つのバネ部品は少なくとも一つの係合装置に弾性付勢力を提供してその係合端をタッチパネルの横向き凹溝内に係合させ、
該操作ロッドは少なくとも一つの連接端を具え、この少なくとも一つの連接端が少なくとも一つの係合装置の連接端に接続され、且つこの操作ロッドは弾性突起を具え、
下向きに操作ロッドの弾性突起を押圧すると、操作ロッドが両用型ポータブルコンピュータ装置のベース上で横向きにスライドすると共に係合手段を駆動してベース上で横向きにスライドさせ、並びに係合手段の係合端が横向きにタッチパネルの横向き凹溝より離脱し、タッチパネルがバネの提供する弾性付勢力により上向きに所定角度跳ね起き、これにより両用型ポータブルコンピュータ装置の回転ディスプレイの背部がタッチパネルの上端に当接することを特徴とする、回転ディスプレイの傾斜構造。
【請求項２】
請求項１記載の回転ディスプレイの傾斜構造において、操作ロッドが少なくとも一つの梃子棒を具え、該梃子棒は両用型ポータブルコンピュータ装置のベースに枢設され、且つ操作ロッドの少なくとも一つの連接端が少なくとも一つの梃子棒の一端に接続され、少なくとも一つの係合装置の接続端が少なくとも一つの梃子棒の別端に接続されたことを特徴とする、回転ディスプレイの傾斜構造。
【請求項３】
請求項１記載の回転ディスプレイの傾斜構造において、少なくとも一つの係合装置の連接端に外向きに突出するように突出棒が設けられ、少なくとも一つのバネ部品がこの突出棒に装着されたことを特徴とする、回転ディスプレイの傾斜構造。
【請求項４】
請求項１記載の回転ディスプレイの傾斜構造において、操作ロッドは押圧部品を具え、該押圧装置は弾性突起の上方に組付けられたことを特徴とする、回転ディスプレイの傾斜構造。
【請求項５】
請求項１記載の回転ディスプレイの傾斜構造において、少なくとも一つのガイドブロックを更に具え、それは両用型ポータブルコンピュータ装置のベースに組付けられ、且つ少なくとも一つのガイドブロックは横向き滑り溝を具え、操作ロッドが該横向き滑り溝内を横向きにスライド可能とされたことを特徴とする、回転ディスプレイの傾斜構造。
【請求項６】
請求項１記載の回転ディスプレイの傾斜構造において、少なくとも一つの案内ブロックを更に具え、それは両用型ポータブルコンピュータ装置のベースに組付けられ、且つ少なくとも一つの案内ブロックは横向き滑り溝を具え、少なくとも一つの係合装置が案内ブロックの横向き滑り溝内を横向きにスライド可能とされたことを特徴とする、回転ディスプレイの傾斜構造。
【請求項７】
請求項１記載の回転ディスプレイの傾斜構造において、ベースの上表面に底板が組付けられて、タッチパネルがこの底板に枢設されたことを特徴とする、回転ディスプレイの傾斜構造。
【請求項８】
請求項１記載の回転ディスプレイの傾斜構造において、ベースの上表面にキーボード装置が組付けられたことを特徴とする、回転ディスプレイの傾斜構造。
【発明の詳細な説明】
【技術分野】
【０００１】
本発明は一種の回転ディスプレイの傾斜構造に係り、特に両用型ポータブルコンピュータ装置に適用される回転ディスプレイの傾斜構造に関する。
【背景技術】
【０００２】
一般に両用型ポータブルコンピュータ装置は、ベース及び回転ディスプレイを具え、そのうち、ベースの上表面にはキーボード装置が組付けられ、且つ回転ディスプレイはベースに対して上下及び左右の方向に回転可能とされる。回転ディスプレイが回転し並びにベース上を被覆する時、この両用型ポータブルコンピュータ装置はタブレットＰＣとして使用され、また回転ディスプレイが上向きに回されて開かれる時、この両用型ポータブルコンピュータ装置はノートブック型コンピュータとして使用される。このためいわゆる両用型と称される。
【０００３】
しかし、上述の過程で、使用者が両用型ポータブルコンピュータ装置をタブレットＰＣとして使用する時、回転ディスプレイは回転し並びにベース上を被覆して扁平な被覆状を形成するだけで、使用者がこの扁平な状態の回転ディスプレイ上でタッチペンにより操作を行なう。しかしこのような方式は使用者の操作に不便な情況を発生しやすく、使用者の快適性に関して不良な影響を発生しやすく、すなわち、前述の周知の構造は人体工学の設計に符合せず、使いにくく、理想的ではない。
【発明の開示】
【発明が解決しようとする課題】
【０００４】
本発明の回転ディスプレイの傾斜構造は、両用型ポータブルコンピュータ装置に組み合わされて使用され、前述の両用型ポータブルコンピュータ装置はベース、及び、回転ディスプレイを具え、且つベースは上表面を具え、回転ディスプレイはベースの上表面に枢設され並びに上表面に対して水平方向の回転と傾斜角度調整が行なえる。
【０００５】
このほか、本発明の回転ディスプレイの傾斜構造はタッチパネル、少なくとも一つの係合装置、及び少なくとも一つのバネ部品、及び操作ロッドを具えている。そのうち、タッチパネルは両用型ポータブルコンピュータ装置のベースの上表面に枢設され、且つこのタッチパネルは少なくとも一つの横向き側面、及び少なくとも一つのバネを具え、そのうち、少なくとも一つの横向き側面に横向き凹溝が凹設され、少なくとも一つのバネは弾性付勢力を提供してタッチパネルを両用型ポータブルコンピュータ装置のベースの上表面より上向きに跳ね起こす。
【０００６】
このほか、少なくとも一つの係合装置は両用型ポータブルコンピュータ装置のベース上で横向きにスライドし、且つこの少なくとも一つの係合装置は係合端と連接端を具え、少なくとも一つのバネ部品が少なくとも一つの係合装置の連接端と両用型ポータブルコンピュータ装置のベースの間を連接し、且つこの少なくとも一つのバネ部品は少なくとも一つの係合装置に弾性付勢力を提供してその係合端をタッチパネルの横向き凹溝内に係合させる。
【０００７】
また、操作ロッドは少なくとも一つの連接端を具え、この少なくとも一つの連接端が少なくとも一つの係合装置の連接端に接続され、且つこの操作ロッドは弾性突起を具えている。
【０００８】
以上の構造により、下向きに操作ロッドの弾性突起を押圧すると、操作ロッドが両用型ポータブルコンピュータ装置のベース上で横向きにスライドすると共に係合手段を駆動してベース上で横向きにスライドさせ、並びに係合手段の係合端が横向きにタッチパネルの横向き凹溝より離脱し、タッチパネルがバネの提供する弾性付勢力により上向きに所定角度跳ね起き、これにより両用型ポータブルコンピュータ装置の回転ディスプレイの背部がタッチパネルの上端に当接する。
【０００９】
両用型ポータブルコンピュータ装置の回転ディスプレイの背部がタッチパネルの上端に当接し、則ち、回転ディスプレイとベースの間に傾斜角度が発生し、この時、使用者は所定角度傾斜する回転ディスプレイ上で操作可能であり、ゆえに上述の構造により人体工学に符合し使いやすい設計とされ、これにより使用者の操作時の便利性と使用時の快適性が向上される。
【００１０】
上述の操作ロッドは少なくとも一つの梃子棒を具え、該梃子棒は両用型ポータブルコンピュータ装置のベースに枢設され、且つ操作ロッドの少なくとも一つの連接端が少なくとも一つの梃子棒の一端に接続され、少なくとも一つの係合装置の接続端が少なくとも一つの梃子棒の別端に接続される。
【００１１】
このほか、上述の少なくとも一つの係合装置の連接端に外向きに突出するように突出棒が設けられ、少なくとも一つのバネ部品がこの突出棒に装着される。このほか、操作ロッドは押圧部品を具え該押圧装置は弾性突起の上方に組付けられる。
【００１２】
上述の構造はまた少なくとも一つのガイドブロックを具え、それは両用型ポータブルコンピュータ装置のベースに組付けられ、且つ少なくとも一つのガイドブロックは横向き滑り溝を具え、操作ロッドが該横向き滑り溝内を横向きにスライド可能とされる。同様に、少なくとも一つの案内ブロックを具え、それは両用型ポータブルコンピュータ装置のベースに組付けられ、且つ少なくとも一つの案内ブロックは横向き滑り溝を具え、少なくとも一つの係合装置が案内ブロックの横向き滑り溝内を横向きにスライド可能とされる。
【００１３】
また、上述の両用型ポータブルコンピュータ装置のベースの上表面にキーボード装置が組付けられ、且つベースの上表面に底板が組付けられて、タッチパネルがこの底板に枢設される。
【課題を解決するための手段】
【００１４】
請求項１の発明は両用型ポータブルコンピュータ装置に組み合わされて使用される回転ディスプレイの傾斜構造であり、該両用型ポータブルコンピュータ装置はベース、及び、回転ディスプレイを具え、且つベースは上表面を具え、回転ディスプレイはベースの上表面に枢設され並びに上表面に対して水平方向の回転と傾斜角度調整が行なえ、該回転ディスプレイの傾斜構造は、タッチパネル、少なくとも一つの係合装置、少なくとも一つのバネ部品、操作ロッドを具え、
該タッチパネルは両用型ポータブルコンピュータ装置のベースの上表面に枢設され、且つこのタッチパネルは少なくとも一つの横向き側面、及び少なくとも一つのバネを具え、そのうち、少なくとも一つの横向き側面に横向き凹溝が凹設され、少なくとも一つのバネは弾性付勢力を提供してタッチパネルを両用型ポータブルコンピュータ装置のベースの上表面より上向きに跳ね起こし、
該少なくとも一つの係合装置は両用型ポータブルコンピュータ装置のベース上で横向きにスライドし、且つこの少なくとも一つの係合装置は係合端と連接端を具え、
該少なくとも一つのバネ部品は少なくとも一つの係合装置の連接端と両用型ポータブルコンピュータ装置のベースの間を連接し、且つこの少なくとも一つのバネ部品は少なくとも一つの係合装置に弾性付勢力を提供してその係合端をタッチパネルの横向き凹溝内に係合させ、
該操作ロッドは少なくとも一つの連接端を具え、この少なくとも一つの連接端が少なくとも一つの係合装置の連接端に接続され、且つこの操作ロッドは弾性突起を具え、
下向きに操作ロッドの弾性突起を押圧すると、操作ロッドが両用型ポータブルコンピュータ装置のベース上で横向きにスライドすると共に係合手段を駆動してベース上で横向きにスライドさせ、並びに係合手段の係合端が横向きにタッチパネルの横向き凹溝より離脱し、タッチパネルがバネの提供する弾性付勢力により上向きに所定角度跳ね起き、これにより両用型ポータブルコンピュータ装置の回転ディスプレイの背部がタッチパネルの上端に当接することを特徴とする、回転ディスプレイの傾斜構造としている。
請求項２の発明は請求項１記載の回転ディスプレイの傾斜構造において、操作ロッドが少なくとも一つの梃子棒を具え、該梃子棒は両用型ポータブルコンピュータ装置のベースに枢設され、且つ操作ロッドの少なくとも一つの連接端が少なくとも一つの梃子棒の一端に接続され、少なくとも一つの係合装置の接続端が少なくとも一つの梃子棒の別端に接続されたことを特徴とする、回転ディスプレイの傾斜構造としている。
請求項３の発明は請求項１記載の回転ディスプレイの傾斜構造において、少なくとも一つの係合装置の連接端に外向きに突出するように突出棒が設けられ、少なくとも一つのバネ部品がこの突出棒に装着されたことを特徴とする、回転ディスプレイの傾斜構造としている。
請求項４の発明は請求項１記載の回転ディスプレイの傾斜構造において、操作ロッドは押圧部品を具え、該押圧装置は弾性突起の上方に組付けられたことを特徴とする、回転ディスプレイの傾斜構造としている。
請求項５の発明は請求項１記載の回転ディスプレイの傾斜構造において、少なくとも一つのガイドブロックを更に具え、それは両用型ポータブルコンピュータ装置のベースに組付けられ、且つ少なくとも一つのガイドブロックは横向き滑り溝を具え、操作ロッドが該横向き滑り溝内を横向きにスライド可能とされたことを特徴とする、回転ディスプレイの傾斜構造としている。
請求項６の発明は請求項１記載の回転ディスプレイの傾斜構造において、少なくとも一つの案内ブロックを更に具え、それは両用型ポータブルコンピュータ装置のベースに組付けられ、且つ少なくとも一つの案内ブロックは横向き滑り溝を具え、少なくとも一つの係合装置が案内ブロックの横向き滑り溝内を横向きにスライド可能とされたことを特徴とする、回転ディスプレイの傾斜構造としている。
請求項７の発明は請求項１記載の回転ディスプレイの傾斜構造において、ベースの上表面に底板が組付けられて、タッチパネルがこの底板に枢設されたことを特徴とする、回転ディスプレイの傾斜構造としている。
請求項８の発明は請求項１記載の回転ディスプレイの傾斜構造において、ベースの上表面にキーボード装置が組付けられたことを特徴とする、回転ディスプレイの傾斜構造としている。
【発明の効果】
【００１５】
本発明によると、操作ロッドの弾性突起を下向きに押圧すると、操作ロッドが両用型ポータブルコンピュータ装置のベース上で横向きにスライドすると共に係合手段を駆動してベース上で横向きにスライドさせ、並びに係合手段の係合端が横向きにタッチパネルの横向き凹溝より離脱し、タッチパネルがバネの提供する弾性付勢力により上向きに所定角度跳ね起き、これにより両用型ポータブルコンピュータ装置の回転ディスプレイの背部がタッチパネルの上端に当接する。前述の構造により、使用者は所定角度傾斜する回転ディスプレイ上で操作を行なえ、ゆえに操作時の便利性と使用時の快適性が向上されている。
【発明を実施するための最良の形態】
【００１６】
図１は本発明の実施状態の立体図であり、それには両用型ポータブルコンピュータ装置１が示され、この両用型ポータブルコンピュータ装置１はベース１１及び回転ディスプレイ１２を具えている。そのうちベース１１は上表面１１１を具え、この上表面１１１にキーボード装置１１２及び底板１１３が組付けられ、回転ディスプレイ１２は上表面１１１に枢設され並びに上表面１１１に対して水平回転と傾斜調整可能とされる。
【００１７】
回転ディスプレイ１２の水平回転と傾斜調整により、回転ディスプレイ１２が回転させられ並びにベース１１に対向させられる時、使用者はキーボード装置１１２を利用して操作を行なえ、これによりノートブック型コンピュータとして使用できる。反対に、回転ディスプレイ１２がベース１１に対して相反するよう回転させられ並びにベース１１の上表面１１１を被覆する時、使用者はタッチペン６（図５）を利用して操作でき、こうしてタブレットＰＣとして使用でき、これによりいわゆる両用型ポータブルコンピュータ装置１と称される。
【００１８】
図１と共に、図２の本発明の立体分解図、図３の本発明の立体組合せ図を参照されたい。そのうち、ベース１１の上表面１１１の底板１１３の前端にタッチパネル２が組付けられ、このタッチパネル２は二つの相反する横向き側面２１と、二つのバネ２２を具え、各横向き側面２１に横向き凹溝２１１が設けられ、且つ各バネ２２がタッチパネル２をベース１１の上表面１１１に対して上向きに跳ね起こす弾性付勢力を提供する。
【００１９】
このほか、二つの係合装置３がベース１１において横向きスライド可能に設けられ並びにタッチパネル２の二側に位置し、各係合装置３は係合端３１及び連接端３２を具え、各連接端３２に外向きに突出棒３２１が凸設され、二つのバネ部品５が各係合装置３に弾性付勢力を提供して各係合装置の係合端３１を横向きに上述のタッチパネル２の横向き側面２１の横向き凹溝２１１内に嵌合させる。
【００２０】
このほか、タッチパネル２の上端２０前端にスライド式に操作ロッド４が設けられ、この操作ロッド４の二端は連接端４２及び梃子棒４３を具え、各梃子棒４３の中段はベース１１に枢設され、且つ操作ロッド４の二端の連接端４２は各梃子棒４３のそのうちの一端に接続され、また、各係合装置３の連接端３２は各梃子棒４３の別端に接続される。
【００２１】
上述の操作ロッド４は弾性突起４１を具え、この弾性突起４１は二端の係合装置３の連接端３２と所定距離隔たり、且つこの弾性突起４１の上方に押圧部品４４が組付けられている。
【００２２】
操作ロッド４と各係合装置３をベース１１上で順調にスライドさせるため、ベース１１上に更に二つのガイドブロック４５が組付けられ、この二つのガイドブロック４５はそれぞれ横向き滑り溝４５１を具え、且つ操作ロッド４は横向きに横向き滑り溝４５１内をスライド可能である。同様に、ベース１１上に二つの案内ブロック３３が組付けられ、それはそれぞれタッチパネル２の二側に位置し、且つ各案内ブロック３３はそれぞれ横向き滑り溝３３１を具え各係合装置３はこの案内ブロック３３の横向き滑り溝３３１内を横向きにスライド可能である。
【００２３】
図４は本発明の押圧部品押圧の動作表示図である。使用者がタブレットＰＣ方式で操作を行なう場合は、先ず操作ロッド４の弾性突起４１の上方の押圧部品４４を下向きに押圧して操作ロッド４をベース１１上で横向きにスライドさせると、操作ロッド４の二端の連接端４２が各梃子棒４３を駆動して回転させ、各梃子棒４３が更に各係合装置３を駆動してベース１１上で横向きにスライドさせ、並びに各係合装置３の係合端３１を横向きにタッチパネル２の横向き側面２１の横向き凹溝２１１より離脱させ、タッチパネル２がこれによりバネ２２の提供する弾性付勢力により上向きに所定角度跳ね起き、回転ディスプレイ１２の背部がタッチパネル２の上端２０に当接する。
【００２４】
図４、及び図５の本発明の回転ディスプレイがタッチパネルの上端に当接した状態表示図を参照されたい。タッチパネル２がバネ２２により上向きに所定角度跳ね置きた後、回転ディスプレイ１２の背部はタッチパネル２の上端２０に当接し、則ち回転ディスプレイ１２がベース１１との間に傾斜角度を形成する。このとき、使用者はタッチペン６で操作を行なうことができ、タブレットＰＣの使用方式を形成でき、回転ディスプレイ１２のベース１１に対する傾斜角度により、使用者はタッチペン６で操作する時、人体工学に符合し使用しやすく、並びに使用者の操作時の便利性と快適性が向上される。
【００２５】
以上の実施例は本発明の範囲を限定するものではなく、本発明に基づきなしうる細部の修飾或いは改変は、いずれも本発明の請求範囲に属するものとする。
【図面の簡単な説明】
【００２６】
【図１】本発明の実施状態の立体図である。
【図２】本発明の立体分解図である。
【図３】本発明の立体組合せ図である。
【図４】本発明の押圧部品押圧の動作表示図である。
【図５】本発明の回転ディスプレイがタッチパネルの上端に当接した状態表示図である。
【符号の説明】
【００２７】
１  両用型ポータブルコンピュータ装置        １１  ベース
１１１  上表面                １１２  キーボード装置
１１３  底板                  １２  回転ディスプレイ
２  タッチパネル              ２０  上端
２１  横向き側面              ２１１  横向き凹溝
２２  バネ                    ３  係合装置
３１  係合端                  ３２  連接端
３２１  突出棒                ３３  案内ブロック
３３１  横向き滑り溝          ４  操作ロッド
４１  弾性突起                ４２  連接端
４３  梃子棒                  ４４  押圧部品
４５  ガイドブロック          ４５１  横向き滑り溝
５  バネ部品                  ６  タッチペン
【図１】
2006155549.tif 000003
【図２】
2006155549.tif 000004
【図３】
2006155549.tif 000005
【図４】
2006155549.tif 000006
【図５】
2006155549.tif 000007